(57)【要約】【課題】中窓周りに配置される部材の見付け寸法を小さくでき、かつ中窓周りでの面材の納まりも良好にできる建具を提供すること。【解決手段】ドアパネル１０において、外部額縁３３の室外面３３Ａを室外面材２２で覆い、代わりに見付け寸法の小さいアタッチメント３５（あるいは化粧縁４０）の折曲部３５２を外観視させる。従って、中窓３０の周縁部分では、見付け寸法の小さい部材だけが見えるようになり、良好な外観を得ることができる。また、そのようなアタッチメント３５の折曲部３５２により、室外面材２２の周縁が覆われるため、室外面材２２の納まりを従来と同様に良好に維持できる。【選択図】　図２
2004052271.tif 000002
【特許請求の範囲】
【請求項１】
室内面および室外面のそれぞれに室内面材および室外面材が取り付けられたパネル体と、このパネル体を貫通する開口部に設けられる中窓を備えた建具であって、
この中窓は、前記開口部内に配置された面状部材と、前記開口内の室内側および／または室外面側に配置されて前記面状部材の呑込部を形成する額縁とを備えているとともに、
この額縁が設けられた側の室内面材および／または室外面材には、前記額縁の鉛直な見え掛かり部分を覆う覆い部が設けられ、
この覆い部の周縁は、前記額縁の前記開口部に臨む面を覆うアタッチメントの端部で覆われている建具。
【請求項２】
前記アタッチメントには、前記面状部材に密着するシール材の取付部が設けられている請求項１に記載の建具。
【請求項３】
前記アタッチメントは、前記額縁に機械的な取付手段で取り付けられている請求項１または請求項２に記載の建具。
【請求項４】
前記取付手段は、アタッチメントおよび額縁に設けられた係止部および被係止部で構成されている請求項３に記載の建具。
【請求項５】
前記アタッチメントの係止部および前記額縁の被係止部は、スナップ式で係脱自在に設けられている請求項４に記載の建具。
【請求項６】
前記額縁には、前記面材から離間するに従って開口部の中央側に近づく傾斜面部が設けられ、前記アタッチメントには、前記傾斜面に当接される当接面が設けられ、前記面状部材の前記額縁側の表面がアタッチメントで支持されている請求項１ないし請求項５のいずれかに記載の建具。
【発明の詳細な説明】
【０００１】
【発明の属する技術分野】
本発明は、建具に係り、例えば、建物の玄関や勝手口のドア等に利用できる。
【０００２】
【背景技術】
従来より、ドア等のドアパネルを、上框、下框、および左右の竪框からなる框組みと、この框組みの室内面および室外面のそれぞれに取り付けられる室内面材および室外面材とで構成するとともに、ドアパネルの室内外の両面をほぼフラットな両面フラッシュ構造としたものが知られている。また、このようなドアパネルに採光用の中窓を設ける場合があり、このような中窓としては、ドアパネルを貫通する開口部内に磨りガラス等の面状部材を収容配置し、この面状部材を室内側からの内部額縁と室外側からの外部額縁とで挟持する構造が採用される。
【０００３】
【発明が解決しようとする課題】
しかしながら、そのような中窓の構造では、内部額縁および外部額縁のそれぞれに、面状部材を確実に挟持するための呑込寸法を十分に確保する必要があるため、その分だけ各額縁の見付け寸法が大きくなるという問題がある。このため、額縁を細く見せて外観または内観を良好にしたいという要望に対し、これを満足することは困難であった。
【０００４】
しかも、内部額縁や外部額縁には、室内面材や室外面材の開口部周りの辺縁を覆うかかり代が設定されており、このかかり代で各面材の辺縁をわずかに隠すことで、見た目に良好な納まりを実現しているのである。従って、このかかり代もまた、わずかではあるが各額縁の見付け寸法を大きくする要因となっている。
【０００５】
本発明の目的は、中窓周りに配置される部材の見付け寸法を小さくでき、かつ中窓周りでの面材の納まりも良好にできる建具を提供することにある。
【０００６】
【課題を解決するための手段】
本発明の建具は、室内面および室外面のそれぞれに室内面材および室外面材が取り付けられたパネル体と、このパネル体を貫通する開口部に設けられる中窓を備えた建具であって、この中窓は、前記開口部内に配置された面状部材と、前記開口内の室内側および／または室外面側に配置されて前記面状部材の呑込部を形成する額縁とを備えているとともに、この額縁が設けられた側の室内面材および／または室外面材には、前記額縁の鉛直な見え掛かり部分を覆う覆い部が設けられ、この覆い部の周縁は、前記額縁の前記開口部に臨む面を覆うアタッチメントの端部で覆われていることを特徴とする。
【０００７】
このような本発明においては、従来では見付け寸法を大きくする主要因であった額縁が室内面材または室外面材の覆い部で覆われるため、この額縁そのものが見えなくなる。そして、本発明では、その額縁を覆うアタッチメントが見えるのであるが、このアタッチメントでの目視可能な見付け部分としては、面材の覆い部の周縁をわずかに覆う端部だけであり、従来でのかかり代に相当する部分だけである。従って、中窓の周りでは、見付け寸法の小さいアタッチメントが見えるようになり、良好な外観または内観が得られるようになる。また、そのようなアタッチメントの端部で面材の周縁を覆うことで、面材の納まりが従来と同様に良好に維持される。
【０００８】
本発明の建具では、前記アタッチメントには、前記面状部材に密着するシール材の取付部が設けられていることが望ましい。
シール材を額縁に取り付けて面状部材に密着させることも可能であるが、額縁をアタッチメントで覆っている本発明において、シール材を額縁に取り付けると、額縁とアタッチメントとの間に水滴等が浸入して滞留し、排水性が悪化する可能性がある。これに対して、アタッチメントにシール材を取り付ければ、アタッチメント、シール材、および面状部材によって略完全にシールされた空間内に額縁が配置されることになり、水滴がアタッチメント上を伝って流れ落ちることになるから、排水性が良好である。
【０００９】
本発明の建具では、前記アタッチメントは、前記額縁に機械的な取付手段で取り付けられていることが望ましい。
このような構成では、防火を勘案してアタッチメントの材質の選定や、端部の寸法すなわちかかり代の大きさの設定等を行うことにより、住宅防火戸用の建具としての基準を確実に満たすことになり、防火性能を備えた建具として特に有用である。
【００１０】
この際、前記取付手段は、アタッチメントおよび額縁に設けられた係止部および被係止部で構成されていることが好ましい。
機械的な取付手段としては、ビスおよびビスホールや、ボルトおよびナット等を用いた螺合手段等も考えられるが、係止部および被係止部による機械的な取付手段を採用することで、アタッチメントや額縁の構造が簡素化され、それらの製作が容易になる。
【００１１】
さらに、前記アタッチメントの係止部および前記額縁の被係止部は、スナップ式で係脱自在に設けられていることが好ましい。
このような構成では、アタッチメントが額縁に対してワンタッチで係脱されるようになり、組立作業が簡単かつ迅速に行われるようになって作業性が向上するうえ、アタッチメントを外してメンテナンスを行う場合のメンテナンス性も良好である。
【００１２】
本発明の建具では、前記額縁には、前記面材から離間するに従って開口部の中央側に近づく傾斜面部が設けられ、前記アタッチメントには、前記傾斜面に当接される当接面が設けられ、前記面状部材の前記額縁側の表面がアタッチメントで支持されていることが好ましい。
このような構成では、面材から受ける反力でアタッチメント（の当接面）が額縁の傾斜面部に沿って摺動し、例えば額縁を構成する部材が四周に存在する場合では、各部材が互いに開口部の中央側に寄り合うことになって良好に密着し、部材間の隙間が塞がれて見た目やシール性が格段に向上する。
【００１３】
【発明の実施の形態】
以下、本発明の一実施形態を図面に基づいて説明する。
図１は本実施形態に係る玄関ドア（建具）１のドアパネル（パネル体）１０を示す外観姿図および内観姿図、図２はドアパネル１０の中窓３０を拡大して示す縦断面図、図３は中窓３０を拡大して示す横断面図である。なお、各図面においては図面を見やすくするために、ドアパネル等の主要な構成部材には断面を示すハッチングを省略して記載している。
【００１４】
本発明の建具である玄関ドア１は、いわゆる片開きドアであり、建物等の開口部に配置される図示しないドア枠と、このドア枠内に配置される前記ドアパネル１０とを備えている。
【００１５】
以下、本実施形態の特徴的な構成を有するドアパネル１０を説明する。
ドアパネル１０は、室内側および室外側の各面が略フラットな両面フラッシュ構造とされたパネル本体２０と、パネル本体２０に複数設けられた中窓３０とを備えて構成されている。
【００１６】
パネル本体２０は、図示を省略するが、アルミやスチール等の金属押出形材からなる上框、下框、および左右の竪框（戸先側竪框、吊り元側竪框）を四周框組みした框組みを備えているとともに、この框組みの室内面および室外面のそれぞれにアルミやスチール製の室内面材２１および室外面材２２を貼設した構造である。
【００１７】
この框組みにおいて、室内面材２１および室外面材２２間の空間内には、パネル本体２０を貫通する中窓３０形成用の開口部２０Ａを除き、ポリスチレンフォーム、ウレタンフォーム、フェノールフォーム等の発泡樹脂（発泡プラスチック系断熱材）を、金型成型等の成形方法を利用して略板状に製造された断熱芯材２３が配置されている。
【００１８】
中窓３０は、開口部２０Ａ内に収容配置されたガラス面材（面状部材）３１と、開口部２０Ａ内の室外側に配置された外部額縁３３と、室内側に配置された内部額縁３４と、外部額縁３３の前記開口部２０Ａに臨む内側面３３Ｂを覆うアタッチメント３５とを含んで構成され、外部額縁３３および内部額縁３４の間には、ガラス面材３１の四周縁を呑み込んで保持する呑込部３６が形成されている。
【００１９】
外部額縁３３は、それぞれアルミやスチール等の金属押出形材からなる上額縁材３３１、下額縁材３３２、および左右の縦額縁材３３３を枠組みした構造であり、具体的には、左右の縦額縁材３３３がパネル本体２０の上下方向に略連続した長尺部材とされ、これらの間に上額縁材３３１および下額縁材３３２が配置され、ビス止めされている。つまり、本実施形態での縦額縁材３３３は、上下方向に沿って設けられた複数の中窓３０にわたって連続しており、それらの中窓３０で共通に用いられるようになっている。そして、外部額縁３３は、パネル本体２０を構成する框組みに予めビス止めされている。
【００２０】
この外部額縁３３の各額縁材３３１〜３３３において、従来では室外からの見え掛かり部分を形成する鉛直な室外面３３Ａは、本実施形態では、断熱芯材２３の室外面２３Ａと面一とされているとともに、室外面材２２の開口部２０Ａ側に設けられた覆い部２２Ａで覆われており、実際には外観上見えなくなっている。この覆い部２２Ａは、例えば接着剤等により室外面３３Ａに固定されている。
【００２１】
一方、内部額縁３４は、各中窓３０毎に独立して設けられており、同様な金属押出形材からなる上額縁材３４１、下額縁材３４２、および左右の縦額縁材３４３を４５°接合によって四周枠組みした構造である。この内部額縁３４は、各額縁材３４１〜３４３によって予め枠組みされており、外部額縁３３の室内側にガラス面材３１を室内側から配置した後に、さらにその室内側から嵌め込まれる。この際、嵌め込まれた内部額縁３４は、樹脂製の取付部材３７，３８により、パネル本体２０と一体とされた外部額縁３３に機械的に取り付けられる。
【００２２】
図３において、中窓３０の側面部分に配置された取付部材３７は、互いに上下方向にスライド可能な２つの取付片部３７Ａ，３７Ｂを備えて構成されており、取付片部３７Ａが内部額縁３４の爪部に嵌合され、取付片部３７Ｂが外部額縁３３の爪部に嵌合されている。これに対し、図２に示すように、中窓３０の上下部分に配置された取付部材３８は一部材からなり、各額縁３３，３４の爪部に嵌合されている。すなわち、いずれの取付部材３７，３８も、スナップ式によって額縁３３，３４に取り付けられている。また、幅寸法および高さ寸法が小さい中窓３０では取付部材３７，３８は中窓３０の上下および左右でそれぞれ１つしか設けられていないが、縦長で高さ寸法が大きい中窓３０では、取付部材３７がその高さ寸法に応じて複数個、例えば３個配置されている。さらに、中窓３０の下部側の取付部材３８は、ガラス面材３１の載置用のブロックをも兼用する。
【００２３】
このようにして接合された内部額縁３４において、各額縁材３４１〜３４３の外周縁部分を形成する端部３４４は、室内面材２１の開口部２０Ａ側の辺縁に所定のかかり代（見付け方向に３ｍｍ以上）でかかっており、その室内面材２１の辺縁を室内側からわずかに覆っている。このことにより、室内面材２１の辺縁の納まりが良好となるとともに、断熱芯材２３に炎が廻りにくく、防火基準を満たす構造になっている。ただし、この構造は従来も同様である。
【００２４】
各アタッチメント３５は、外部額縁３３内の四周に縦勝ちで配置されており、外部額縁３３（各額縁材３３１〜３３３）の前記内側面３３Ｂを覆う本体部３５１と、本体部３５１の室外側の端部に設けられて室外面材２２の開口部２０Ａ側の辺縁に所定のかかり代（見付け方向に３ｍｍ以上）でかかる折曲部３５２と、本体部３５１の室内側に設けられて各額縁材３３１〜３３３の被係止部３３５に係止される係止部３５３とを備えている。そして、係止部３５３および被係止部３３５により、本発明に係る取付手段が構成され、独立して設けられた各アタッチメント３５が、各額縁材３３１〜３３３に対してスナップ式で機械的に係脱自在に取り付けられるようになっている。
【００２５】
アタッチメント３５の折曲部３５２は、内部額縁３４での端部３４４と同様に、室外面材２２の開口部２０Ａ側の辺縁に所定のかかり代（見付け方向に３ｍｍ以上）でかかっており、その室外面材２２の辺縁を室内側からわずかに覆っている。このことにより、室内面材２１の辺縁の納まりが良好となるとともに、断熱芯材２３に炎が廻りにくく、防火基準を満たす構造になっている。つまり、従来では外部額縁３３で室外面材２２の辺縁を覆っていたのに対し、アタッチメント３５で覆うようにしたことが、本実施形態の最も特徴的な構成の一つである。
【００２６】
また、本実施形態において、折曲部３５２の外側には、四周に連続した化粧縁４０が当該折曲部３５２を覆うように配置され、室外面材２２に接着剤等で貼設されている。この化粧縁４０の見付け寸法は、折曲部３５２の見付け寸法より多少大きいものの、隠れて見えない外部額縁３３や、内観視される内部額縁３４の見付け寸法に比べると格段に小さい。従って、本実施形態のドアパネル１０では、室外側からの外観視では、中窓３０周囲の部材が従来よりも細く見え、室内側からの内観視では、中窓３０周囲の部材が従来と同様に太く見えることになり、内観視と外観視とでは違って見えることになる。ただし、本発明では、化粧縁４０は必須の構成ではなく、省略可能である。そして、化粧縁４０を省いた場合には、アタッチメント３５の折曲部３５２が外観視されるのであるが、この折曲部３５２はもとより見付け寸法が小さいため、やはり中窓３０周囲の部材が細く見えることになる。
【００２７】
アタッチメント３５の係止部３５３において、その室内側にはシール材３５４を取り付けるためのリップ溝（取付部）３５５が設けられており、四周の独立した各アタッチメント３５にわたる連続したシール材３５４がガラス面材３１の室外側の表面に密着している。そして、ガラス面材３１の室外側は、そのシール材３５４を介してアタッチメント３５で支持されていることになる。なお、ガラス面材３１の室内側の表面にも、内部額縁３４に設けられた同様なシール材３５４が密着している。
【００２８】
さらに、係止部３５３には、額縁材３３１〜３３３の傾斜面部３３６に当接する当接面３５６が設けられている。この際の傾斜面部３３６は、ガラス面材３１から外部額縁３３側に向かって離間するに従い開口部２０Ａの中央側に近づくように傾斜しており、アタッチメント３５は、支持しているガラス面材３１からの反力で傾斜面部３３６の傾斜に沿って開口部２０Ａの中央側に寄せられる。この結果、縦勝ちで配置された各アタッチメント３５は互いに密着し合い、互いの境界部分に隙間が生じることがなく、シール性が良好となる。
【００２９】
また、アタッチメント３５の本体部３５１と各額縁材３３１〜３３３の内側面３３Ｂとの間には隙間３３７が形成されており、左右のアタッチメント３５間に上下のアタッチメント３５が配置される縦勝ち構造の本実施形態では、この隙間３３７分だけ特に上下のアタッチメント３５の寸法公差をプラス側に大きく設定することが可能である。これは、標準寸法に対して長い分を隙間３３７で吸収できるからである。このことから、上下のアタッチメント３５を標準の長さ寸法よりも長めに製作可能であり、この際の寸法公差が大きいことで、製作が容易になる。
【００３０】
このような本実施形態によれば、以下のような効果がある。
（１）　すなわち、玄関ドア１のドアパネル１０において、中窓３０の周縁部分を外観視した場合に従来では、見付け寸法の大きい外部額縁３３の室外面３３Ａが露出したが、本実施形態では、そのような外部額縁３３の室外面３３Ａが室外面材２２の覆い部２２Ａで覆われるため、この外部額縁３３そのものを見えなくできる。代わりにドアパネル１０では、その外部額縁３３を覆うアタッチメント３５、あるいは化粧縁４０が設けられる場合にはこの化粧縁４０が見えるのであるが、これらアタッチメント３５や化粧縁４０は、ガラス面材３１を呑み込んで保持するといった機能が不要であるから、目視される見付け部分としては、アタッチメント３５であれば、見付け寸法が格段に小さい端部の折曲部３５２だけであり、また、化粧縁４０であれば、見付け寸法が同様に小さい室外側の面だけである。従って、中窓３０の周縁部分では、見付け寸法の小さい部材だけが見えるようになり、良好な外観を得ることができる。また、そのようなアタッチメントの折曲部３５２により、室外面材２２の周縁が覆われるため、室外面材２２の納まりを従来と同様に良好に維持できる。
【００３１】
（２）　そして、本実施形態のドアパネル１０では、外観視した場合には、見付け寸法の小さいアタッチメント３５や化粧縁４０が見えることになる一方で、内観視した場合には、従来と同様に見付け寸法の大きな内部額縁３４が見えるので、外観視した場合と内観視した場合とで、ドアパネル１０に対する見た目の印象を異ならせることができ、意匠性を向上させることができる。
【００３２】
（３）　アタッチメント３５にはリップ溝３５５が設けられ、このリップ溝３５５にはガラス面材３１に密着するシール材３５４が設けられているから、アタッチメント３５、シール材３５４、およびガラス面材３１によって略完全にシールされた空間内に外部額縁３３を配置でき、外部額縁３３とアタッチメント３５との間から水滴が浸入して滞留する心配がなく、排水性を良好にできる。
【００３３】
（４）　また、外部額縁３３を構成する各額縁材３３１〜３３３は中空の押出形材であるうえ、取付部材３７，３８が取り付けられる爪部を有するなど、複雑な形状であるが、シール材３５４がアタッチメント３５側に取り付けられていることで、シール材３５４取付用のリップ溝３５５等を各額縁材３３１〜３３３側に設ける必要がなく、これらの形状のさらなる複雑化を避けることができ、押出金型の金型コスト等を削減できたり、各額縁材３３１〜３３３の歩留まり等を改善できる。
【００３４】
（５）　特に縦額縁材３３３は、上下の複数の中窓３０にわたって連続しており、上額縁材３３１や下額縁材３３２に対しては縦勝ち構造となっているため、各額縁材３３１〜３３３にリップ溝３５５を設けると、各額縁材３３１〜３３３のリップ溝３５５同士を連通させるための構造を構築する必要があり、面倒である。これに対し、アタッチメント３５は、各中窓３０で四周それぞれ独立した部材であるから、各アタッチメント３５のリップ溝３５５同士も簡単に連通させることができ、組立作業を容易にできる。
【００３５】
（６）　折曲部３５２で室外面材２２を覆っているアタッチメント３５は、その係止部３５３により、各額縁材３３１〜３３３の被係止部３３５に機械的に取り付けられているので、このアタッチメント３５を用いた場合でも、玄関ドア１としては住宅防火戸用のドアとしての基準を確実に満たすことができ、防火性能を備えたドアとして特に有用である。
【００３６】
（７）　この際、アタッチメント３５の係止部３５３や各額縁材３３１〜３３３の被係止部３３５は、互いに引っ掛かる構造であればよいため、それらを簡単な形状で実現できるとともに、押出成形で容易に製作できる。さらに、ビス、ボルトといった螺合手段を用いていないので、これらの頭部が露出する心配がなく、外観や意匠性を良好にできるうえ、締め付け工具を用いる必要がなく、そのような工具を差し入れることができないような幅寸法あるいは高さ寸法の小さい中窓３０でも、アタッチメント３５を容易に取り付けることができる。
【００３７】
（８）　アタッチメント３５の係止部３５３および各額縁材３３１〜３３３の被係止部３３５は、スナップ式で係脱自在に設けられているため、アタッチメント３５を外部額縁３３に対してワンタッチで係脱させることができ、組立作業を簡単かつ迅速に行って作業性を向上させることができるうえ、アタッチメント３５を外してメンテナンスを行う場合のメンテナンス性も良好にできる。
【００３８】
（９）　各額縁材３３１〜３３３に設けられた傾斜面部３３６に、アタッチメント３５の当接面３５６を当接させることにより、ガラス面材３１から受ける反力でアタッチメント３５を傾斜面部３３６に沿って摺動させることができる。このため、各額縁材３３１〜３３３は、開口部２０Ａの中央側に寄って良好に密着するようになり、各額縁材３３１〜３３３間の隙間を塞いで見た目やシール性を格段に向上させることができる。
【００３９】
（１０）　そして、アタッチメント３５の本体部３５１と各額縁材３３１〜３３３の内側面３３Ｂとの間には隙間３３７が形成されているので、この隙間３３７分だけ特に上下のアタッチメント３５の寸法公差をプラス側に大きく設定でき、上下のアタッチメント３５を標準の長さ寸法よりも長めに製作できる。従って、寸法公差が大きいことで、上下のアタッチメント３５の製作にかかる労力や負担を軽減でき、容易に製作できる。
【００４０】
なお、本発明は、前記実施形態に限定されるものではない。
例えば、前記実施形態では、各額縁材３３１〜３３３に傾斜面部３３６が設けられ、各アタッチメント３５には当接面３５６が設けられていたが、図４に示すように、そのような傾斜面部３３６やこれに当接される当接面３５６がない場合でも本発明に含まれる。このような構成では、前述した（９）の効果を得ることはできないが、他の効果については同様に得ることができる。
【００４１】
また、図５には、シール材３５４取付用のリップ溝３５５をアタッチメント３５ではなく、各額縁材３３１〜３３３側に設けた例が示されている。このような構成でも、本発明に含まれる。ただし、このような構成では、各額縁材３３１〜３３３の係止部３５３を大きく設けることができず、良好な係止状態が得られない可能性があるため、アタッチメント３５をビス等を用いて各額縁材３３１〜３３３に固定することも考えられる。
【００４２】
前記実施形態では、アタッチメント３５と各額縁材３３１〜３３３との間には隙間３３７が形成されていたが、このような隙間３３７を設けずに、アタッチメント３５と各額縁材３３１〜３３３とをほぼ全域で密着させてもよく、隙間３３７を設けるか否かは、その実施にあたって任意に決められてよい。
【００４３】
前記実施形態では、外部額縁３３の各額縁材３３１〜３３３を覆うアタッチメント３５について説明したが、このような構成を室内側に適用してもよい。すなわち、内部額縁３４の各額縁材３４１〜３４３の室内側面を室内面材２１で覆うとともに、各額縁材３４１〜３４３を別のアタッチメント３５で覆うことにより、ドアパネル１０を内観視した場合において、中窓３０周りに存在する部材の見付け寸法を小さくしてもよい。さらには、外部額縁３３および内部額縁３４を取り付けた後にガラス面材３１を配置できる構造とした場合等では、室内外の両方でアタッチメント３５を用いてもよく、外観視した場合および内観視した場合のいずれでも、見付け寸法を小さく見せることができる。
【００４４】
また、本発明には、アタッチメントを額縁に対して機械的な取付手段で取り付ける他、接着剤や、溶接、鑞付け等、非機械的な取付手段で取り付けた場合も、含まれる。ただし、このような構成では、住宅防火戸の基準を満たすことができない可能性があるので、やはり実施形態のような機械的な取付手段で取り付けることが望ましい。そして、その中でも特に係止部および被係止部からなる取付手段が前記実施形態で説明したように、より望ましい。
【００４５】
前記実施形態では、本発明に係る面状部材としてガラス面材３１を説明したが、面状部材としてはこれに限定されるものではなく、合成樹脂、木材、石材、金属等、任意の材質の面状部材を適用できる。
【００４６】
前記実施形態において、本発明の建具を玄関ドア１としたが、これに限らず、勝手口のドアや、建物内において使用される各種のドア、さらにはドア以外の建具、例えば中窓を有した雨戸等とすることができる。
【００４７】
【発明の効果】
以上に述べたように、本発明の建具によれば、中窓周りに配置される部材の見付け寸法を小さくでき、かつ中窓周りでの面材の納まりも良好にできるという効果がある。
【図面の簡単な説明】
【図１】本発明の一実施形態に係る建具のパネル体を示す外観姿図および内観姿図である。
【図２】前記パネル体の中窓を拡大して示す縦断面図である。
【図３】前記中窓を拡大して示す横断面図である。
【図４】本発明の第１の変形例を示す横断面図である。
【図５】本発明の第２の変形例を示す横断面図である。
【符号の説明】
１…建具である玄関ドア、２０…パネル体であるドアパネル、２０Ａ…開口部、２１…室内面材、２２…室外面材、２２Ａ…覆い部、３０…中窓、３１…面状部材であるガラス面材、３３…額縁である外部額縁、３５…アタッチメント、３６…呑込部、３３５…被係止部、３３６…傾斜面部、３５３…係止部、３５４…シール材、３５５…取付部であるリップ溝、３５６…当接面。
【図１】
2004052271.tif 000003
【図２】
2004052271.tif 000004
【図３】
2004052271.tif 000005
【図４】
2004052271.tif 000006
【図５】
2004052271.tif 000007